(57)【特許請求の範囲】
【請求項１】
容器の口頸部に固着される中栓及び該中栓とは別個に形成され該中栓に組み合わされる外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は該中栓の該装着壁に被嵌される円筒形状の静止部とヒンジ手段を介して該静止部に接続された旋回動部を有し、
該外蓋の該旋回動部は天面壁と該天面壁から垂下するスカート壁とを有し、該天面壁の内面には係止手段が配設されており、
該被係止手段は該閉塞壁から離隔する方向に向かって相互に離隔する方向に傾斜して延びる一対の第一のフラップを含み、該係止手段は該天面壁から離隔する方向に向かって相互に接近する方向に傾斜して延びる一対の第二のフラップを含み、
該被係止手段と該係止手段とを整合せしめて該中栓に対して該外蓋を下降せしめ該中栓の該装着壁に該外蓋の該静止部を被嵌せしめることによって、該中栓に該外蓋が組み合わされ、該外蓋の該旋回動部は該中栓の上面を覆う閉位置と該中栓の上面を露呈せしめる開位置との間を該静止部に対して旋回自在であり、
該外蓋の該旋回動部を該閉位置に位置せしめた状態で該中栓に該外蓋を組み合わせると、該一対の第一のフラップが該閉塞壁に接近する方向に向かって相互に離隔する方向に傾斜して延びる状態に変形せしめられると共に該一対の第二のフラップが該天面壁に接近する方向に向かって相互に接近する方向に傾斜して延びる状態に変形せしめられて、該一対の第一のフラップが該一対の第二のフラップの間を通過し、
或いは該一対の第一のフラップを該閉塞壁に接近する方向に向かって相互に離隔する方向に傾斜して延びる状態に変形せしめると共に該一対の第二のフラップを該天面壁に接近する方向に向かって相互に接近する方向に傾斜して延びる状態に変形せしめた後に、該外蓋の該旋回動部を該閉位置に位置せしめた状態で該中栓に該外蓋を組み合わせると、該一対の第一のフラップが該一対の第二のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋。
【請求項２】
該被係止手段は該除去領域の上面から延出する矩形板状延出片を含み、該一対の第一のフラップは該延出片の先端から延出し、該係止手段は該天面壁の内面から延出する矩形筒片を含み、該一対の第二のフラップは該矩形筒片の両側壁の先端から延出する、請求項１記載の容器蓋。
【請求項３】
容器の口頸部に固着される中栓及び該中栓とは別個に形成され該中栓に組み合わされる外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は該中栓の該装着壁に被嵌される円筒形状の静止部とヒンジ手段を介して該静止部に接続された旋回動部を有し、
該外蓋の該旋回動部は天面壁と該天面壁から垂下するスカート壁とを有し、該天面壁の内面には係止手段が配設されており、
該被係止手段は該閉塞壁から離隔する方向に向かって相互に接近する方向に傾斜して延びる一対の第一のフラップを含み、該係止手段は該天面壁から離隔する方向に向かって相互に離隔する方向に傾斜して延びる一対の第二のフラップを含み、
該被係止手段と該係止手段とを整合せしめて該中栓に対して該外蓋を下降せしめ該中栓の該装着壁に該外蓋の該静止部を被嵌せしめることによって、該中栓に該外蓋が組み合わされ、該外蓋の該旋回動部は該中栓の上面を覆う閉位置と該中栓の上面を露呈せしめる開位置との間を該静止部に対して旋回自在であり、
該外蓋の該旋回動部を該閉位置に位置せしめた状態で該中栓に該外蓋を組み合わせると、
該一対の第一のフラップが該閉塞壁に接近する方向に向かって相互に接近する方向に傾斜して延びる状態に変形せしめられると共に該一対の第二のフラップが該天面壁に接近する方向に向かって相互に離隔する方向に傾斜して延びる状態に変形せしめられて、該一対の第二のフラップが該一対の第一のフラップの間を通過し、
或いは該一対の第一のフラップを該閉塞壁に接近する方向に向かって相互に接近する方向に傾斜して延びる状態に変形せしめると共に該一対の第二のフラップを該天面壁に接近する方向に向かって相互に離隔する方向に傾斜して延びる状態に変形せしめた後に、該外蓋の該旋回動部を該閉位置に位置せしめた状態で該中栓に該外蓋を組み合わせると、該一対の第二のフラップが該一対の第一のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋。
【請求項４】
該被係止手段は該除去領域の上面から延出する矩形筒片を含み、該一対の第一のフラップは該矩形筒片の両側壁の先端から延出し、該係止手段は該天面壁の内面から延出する矩形板状延出片を含み、該一対の第二のフラップは該延出片の先端から延出する、請求項３記載の容器蓋。
【請求項５】
該外蓋の該旋回動部が該閉位置に位置せしめられている状態において、該一対の第一のフラップは該一対の第二のフラップに対して間隔をおいて上方に位置する、請求項１から４までのいずれかに記載の容器蓋。
【請求項６】
該一対の第一のフラップ及び該一対の第二のフラップの基端縁は該外蓋の該旋回動部の旋回中心軸線に対して垂直に延びる、請求項１から５までのいずれかに記載の容器蓋。
【請求項７】
該外蓋の該旋回動部が該閉位置に位置する状態において、該一対の第一のフラップ及び該一対の第二のフラップの基端縁は該外蓋の該旋回中心軸線から離隔する方向に向かって下方に傾斜して延びる、請求項６記載の容器蓋。
【請求項８】
該除去領域の下面周縁には下方に向かって半径方向外方に延出する環状シールが形成されており、該外蓋の該旋回動部を該閉位置から該開位置に旋回動せしめて該破断可能薄肉ラインを破断せしめ該除去領域を該閉塞壁から除去した後に、該外蓋の該旋回動部を該閉位置に旋回動せしめると該環状シールが破断された該破断可能薄肉ラインよりも半径方向外側において該閉塞壁の上面に密接せしめられる、請求項１から７までのいずれかに記載の容器蓋。
【請求項９】
容器の口頸部に固着される中栓及びヒンジ手段を介して該中栓と一体に形成されている外蓋を具備し、該外蓋は該中栓上面を覆う閉位置と該中栓の上面を露呈せしめる開位置との間を旋回動自在な外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は天面壁と該天面壁から垂下するスカート壁とを有し、該天面壁の内面には係止手段が配設されており、
該被係止手段は該閉塞壁から離隔する方向に向かって相互に離隔する方向に傾斜して延びる一対の第一のフラップを含み、該係止手段は該天面壁から離隔する方向に向かって相互に接近する方向に傾斜して延びる一対の第二のフラップを含み、
該外蓋を該開位置から該閉位置に一旦旋回動せしめると、該一対の第一のフラップが該閉塞壁に接近する方向に向かって相互に離隔する方向に傾斜して延びる状態に変形せしめられると共に該一対の第二のフラップが該天面壁に接近する方向に向かって相互に接近する方向に傾斜して延びる状態に変形せしめられて、該一対の第一のフラップが該一対の第二のフラップの間を通過し、
或いは該一対の第一のフラップを該閉塞壁に接近する方向に向かって相互に離隔する方向に傾斜して延びる状態に変形せしめると共に該一対の第二のフラップを該天面壁に接近する方向に向かって相互に接近する方向に傾斜して延びる状態に変形せしめた後に、該外蓋を該開位置から該閉位置に旋回動せしめると、該一対の第一のフラップが該一対の第二のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋。
【請求項１０】
該被係止手段は該除去領域の上面から延出する矩形板状延出片を含み、該一対の第一のフラップは該延出片の先端から延出し、該係止手段は該天面壁の内面から延出する矩形筒片を含み、該一対の第二のフラップは該矩形筒片の両側壁の先端から延出する、請求項９記載の容器蓋。
【請求項１１】
容器の口頸部に固着される中栓及びヒンジ手段を介して該中栓と一体に形成されている外蓋を具備し、該外蓋は該中栓上面を覆う閉位置と該中栓の上面を露呈せしめる開位置との間を旋回動自在な外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は天面壁と該天面壁から垂下するスカート壁とを有し、該天面壁の内面には係止手段が配設されており、
該被係止手段は該閉塞壁から離隔する方向に向かって相互に接近する方向に傾斜して延びる一対の第一のフラップを含み、該係止手段は該天面壁から離隔する方向に向かって相互に離隔する方向に傾斜して延びる一対の第二のフラップを含み、
該外蓋を該開位置から該閉位置に一旦旋回動せしめると、該一対の第一のフラップが該閉塞壁に接近する方向に向かって相互に接近する方向に傾斜して延びる状態に変形せしめられると共に該一対の第二のフラップが該天面壁に接近する方向に向かって相互に離隔する方向に傾斜して延びる状態に変形せしめられて、該一対の第二のフラップが該一対の第一のフラップの間を通過し、
或いは該一対の第一のフラップを該閉塞壁に接近する方向に向かって相互に接近する方向に傾斜して延びる状態に変形せしめると共に該一対の第二のフラップを該天面壁に接近する方向に向かって相互に離隔する方向に傾斜して延びる状態に変形せしめた後に、該外蓋を該開位置から該閉位置に旋回動せしめると、該一対の第二のフラップが該一対の第一のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋。
【請求項１２】
該被係止手段は該除去領域の上面から延出する矩形筒片を含み、該一対の第一のフラップは該矩形筒片の両側壁の先端から延出し、該係止手段は該天面壁の内面から延出する矩形板状延出片を含み、該一対の第二のフラップは該延出片の先端から延出する、請求項１１記載の容器蓋。
【請求項１３】
該外蓋が該閉位置に位置せしめられている状態において、該一対の第一のフラップは該一対の第二のフラップに対して間隔をおいて上方に位置する、請求項９から１２までのいずれかに記載の容器蓋。
【請求項１４】
該一対の第一のフラップ及び該一対の第二のフラップの基端縁は該外蓋の旋回中心軸線に対して垂直に延びる、請求項９から１３までのいずれかに記載の容器蓋。
【請求項１５】
該外蓋が該閉位置に位置する状態において、該一対の第一のフラップ及び該一対の第二のフラップの基端縁は該外蓋の該旋回中心軸線から離隔する方向に向かって下方に傾斜して延びる、請求項１４記載の容器蓋。
【請求項１６】
該除去領域の下面周縁には下方に向かって半径方向外方に延出する環状シールが形成されており、該外蓋を該閉位置から該開位置に旋回動せしめて該破断可能薄肉ラインを破断せしめ該除去領域を該閉塞壁から除去した後に、該外蓋を該閉位置に旋回動せしめると該環状シールが破断された該破断可能薄肉ラインよりも半径方向外側において該閉塞壁の上面に密接せしめられる、請求項９から１５までのいずれかに記載の容器蓋。
【発明の詳細な説明】
【技術分野】
【０００１】
本発明は、容器の口頸部に固着される中栓及び少なくとも一部が中栓の上面を覆う閉位置と中栓の上面を露呈せしめる開位置との間を旋回動自在である外蓋を具備する容器蓋に関する。
【背景技術】
【０００２】
醤油、食用油及びドレッシングの如き液体調味料のための容器蓋として、中栓及び外蓋を具備する容器蓋が広く実用に供されている。中栓は円形閉塞壁とこの閉塞壁の周縁から垂下する円筒形状の装着壁を有し、装着壁を容器の口頸部に被嵌することによって中栓が口頸部に固着され、閉塞壁が口頸部の上端面に存在する開口を覆う。閉塞壁には破断可能薄肉ラインによって囲繞された除去領域が規定されており、この除去領域の上面には連結柱を介して引張リングが付設されている。中栓と一体に或いは別個に成形される外蓋は天面壁とこの天面壁の周縁から垂下するスカート壁とを有し、少なくともその一部が、更に詳しくは中栓と一体に形成される場合にはその全体が、中栓と別個に成形される場合には天面壁とスカート壁とを含む旋回動部が、中栓の上面を覆う閉位置と中栓の上面を露呈せしめる開位置との間を旋回動自在である。容器に収容されている内容物を消費する際には、外蓋の少なくとも一部を開位置に旋回動せしめて中蓋の上面を露呈せしめ、次いで引張リングに指を掛けて引っ張って破断可能薄肉ラインを破断せしめて除去領域を中栓から除去し、閉塞壁に排出口を生成する。
【０００３】
上述したとおりの容器蓋には、外蓋の少なくとも一部を開位置に旋回動せしめた後に、引張リングを引っ張って破断可能薄肉ラインを破断して除去領域を除去するという操作が必要であり、所謂使用勝手が必ずしも良好でないという問題がある。かような問題を解決するために、下記特許文献１には、中栓に対して全体が旋回動自在である外蓋の天面壁の内面に、下方に延出し外蓋が閉位置にせしめられると中栓の除去領域の上面に当接せしめられる引裂き具を一体に形成し、外蓋を閉位置にせしめた後に引裂き具の先端即ち下端を中栓の除去領域に溶着した容器蓋が開示されている。特許文献１に開示されたかような容器蓋においては、外蓋を開位置に旋回動せしめると、引裂き具を介して破断可能薄肉ラインに力が加えられ、これによって破断可能薄肉ラインが破断されて除去領域が閉塞壁から除去されて閉塞壁に排出口が生成される。
【先行技術文献】
【特許文献】
【０００４】
【特許文献１】特許第４５７５６９５号公報
【発明の概要】
【発明が解決しようとする課題】
【０００５】
而して、上記特許文献１に開示されている容器蓋も未だ充分に満足し得るものではなく、容器蓋を完成するためには、適宜の合成樹脂から容器蓋を射出成形或いは圧縮成形した後に、開位置にある状態で成形された外蓋を閉位置に旋回動せしめて引裂き具の下端を中栓の閉塞壁における除去領域の上面に当接せしめ、次いで引裂き具の下端を除去領域の上面に溶着するという比較的煩雑な工程を遂行しなければならない、という問題を有する。
【０００６】
本発明は上記事実に鑑みてなされたものであり、その主たる技術的課題は、容器蓋の完成のために溶着の如き比較的煩雑な操作を遂行する必要を回避し、そしてまた開位置にある状態で成形された外蓋を閉位置に旋回動せしめる際に破断可能薄肉ラインに過剰な力が作用して破断可能薄肉ラインが破断されてしまうという不測の事態の発生を確実に回避して、外蓋を一旦閉位置に旋回動せしめた後に開位置に旋回動せしめると中栓に形成されている破断可能薄肉ラインが充分容易に且つ確実に破断されて除去領域が閉塞壁から除去される、新規且つ改良された容器蓋を提供することである。
【課題を解決するための手段】
【０００７】
本発明者は鋭意検討の結果、中栓の閉塞壁における除去領域の上面に被係止手段を配設すると共に外蓋の天面壁の内面に係止手段を配設し、被係止手段は閉塞壁から離隔する方向に向かって相互に離隔する方向に傾斜して延びる一対の第一のフラップを含み、係止手段は天面壁から離隔する方向に向かって相互に接近する方向に傾斜して延びる一対の第二のフラップを含む形態、或いは被係止手段は間隔をおいて配設され且つ閉塞壁から離隔する方向に向かって相互に接近する方向に傾斜して延びる一対の第一のフラップを含み、係止手段は間隔をおいて配設され且つ天面壁から離隔する方向に向かって相互に離隔する方向に傾斜して延びる一対の第二のフラップを含む形態にせしめ、一対の第一のフラップと一対の第二のフラップとを外蓋を閉位置に旋回動せしめる際に自動的に或いは外蓋を閉位置に旋回せしめるのに先立って手動で所要とおりに変形させて協働せしめることによって、上記主たる技術的課題を達成することができることを見出した。
【０００８】
即ち、本発明の第一の局面によれば、上記主たる技術的課題を解決する容器蓋として、容器の口頸部に固着される中栓及び該中栓とは別個に形成され該中栓に組み合わされる外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は該中栓の該装着壁に被嵌される円筒形状の静止部とヒンジ手段を介して該静止部に接続された旋回動部を有し、
該外蓋の該旋回動部は天面壁と該天面壁から垂下するスカート壁とを有し、該天面壁の内面には係止手段が配設されており、
該被係止手段は該閉塞壁から離隔する方向に向かって相互に離隔する方向に傾斜して延びる一対の第一のフラップを含み、該係止手段は該天面壁から離隔する方向に向かって相互に接近する方向に傾斜して延びる一対の第二のフラップを含み、
該被係止手段と該係止手段とを整合せしめて該中栓に対して該外蓋を下降せしめ該中栓の該装着壁に該外蓋の該静止部を被嵌せしめることによって、該中栓に該外蓋が組み合わされ、該外蓋の該旋回動部は該中栓の上面を覆う閉位置と該中栓の上面を露呈せしめる開位置との間を該静止部に対して旋回自在であり、
該外蓋の該旋回動部を該閉位置に位置せしめた状態で該中栓に該外蓋を組み合わせると、該一対の第一のフラップが該閉塞壁に接近する方向に向かって相互に離隔する方向に傾斜して延びる状態に変形せしめられると共に該一対の第二のフラップが該天面壁に接近する方向に向かって相互に接近する方向に傾斜して延びる状態に変形せしめられて、該一対の第一のフラップが該一対の第二のフラップの間を通過し、
或いは該一対の第一のフラップを該閉塞壁に接近する方向に向かって相互に離隔する方向に傾斜して延びる状態に変形せしめると共に該一対の第二のフラップを該天面壁に接近する方向に向かって相互に接近する方向に傾斜して延びる状態に変形せしめた後に、該外蓋の該旋回動部を該閉位置に位置せしめた状態で該中栓に該外蓋を組み合わせると、該一対の第一のフラップが該一対の第二のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋が提供される。
本発明の第二の局面によれば、上記主たる技術的課題を解決する容器蓋として、容器の口頸部に固着される中栓及び該中栓とは別個に形成され該中栓に組み合わされる外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は該中栓の該装着壁に被嵌される円筒形状の静止部とヒンジ手段を介して該静止部に接続された旋回動部を有し、
該外蓋の該旋回動部は天面壁と該天面壁から垂下するスカート壁とを有し、該天面壁の内面には係止手段が配設されており、
該被係止手段は該閉塞壁から離隔する方向に向かって相互に接近する方向に傾斜して延びる一対の第一のフラップを含み、該係止手段は該天面壁から離隔する方向に向かって相互に離隔する方向に傾斜して延びる一対の第二のフラップを含み、
該被係止手段と該係止手段とを整合せしめて該中栓に対して該外蓋を下降せしめ該中栓の該装着壁に該外蓋の該静止部を被嵌せしめることによって、該中栓に該外蓋が組み合わされ、該外蓋の該旋回動部は該中栓の上面を覆う閉位置と該中栓の上面を露呈せしめる開位置との間を該静止部に対して旋回自在であり、
該外蓋の該旋回動部を該閉位置に位置せしめた状態で該中栓に該外蓋を組み合わせると、
該一対の第一のフラップが該閉塞壁に接近する方向に向かって相互に接近する方向に傾斜して延びる状態に変形せしめられると共に該一対の第二のフラップが該天面壁に接近する方向に向かって相互に離隔する方向に傾斜して延びる状態に変形せしめられて、該一対の第二のフラップが該一対の第一のフラップの間を通過し、
或いは該一対の第一のフラップを該閉塞壁に接近する方向に向かって相互に接近する方向に傾斜して延びる状態に変形せしめると共に該一対の第二のフラップを該天面壁に接近する方向に向かって相互に離隔する方向に傾斜して延びる状態に変形せしめた後に、該外蓋の該旋回動部を該閉位置に位置せしめた状態で該中栓に該外蓋を組み合わせると、該一対の第二のフラップが該一対の第一のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋が提供される。
【０００９】
更に、本発明の第三の局面によれば、上記主たる技術的課題を解決する容器蓋として、容器の口頸部に固着される中栓及びヒンジ手段を介して該中栓と一体に形成されている外蓋を具備し、該外蓋は該中栓上面を覆う閉位置と該中栓の上面を露呈せしめる開位置との間を旋回動自在な外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は天面壁と該天面壁から垂下するスカート壁とを有し、該天面壁の内面には係止手段が配設されており、
該被係止手段は該閉塞壁から離隔する方向に向かって相互に離隔する方向に傾斜して延びる一対の第一のフラップを含み、該係止手段は該天面壁から離隔する方向に向かって相互に接近する方向に傾斜して延びる一対の第二のフラップを含み、
該外蓋を該開位置から該閉位置に一旦旋回動せしめると、該一対の第一のフラップが該閉塞壁に接近する方向に向かって相互に離隔する方向に傾斜して延びる状態に変形せしめられると共に該一対の第二のフラップが該天面壁に接近する方向に向かって相互に接近する方向に傾斜して延びる状態に変形せしめられて、該一対の第一のフラップが該一対の第二のフラップの間を通過し、
或いは該一対の第一のフラップを該閉塞壁に接近する方向に向かって相互に離隔する方向に傾斜して延びる状態に変形せしめると共に該一対の第二のフラップを該天面壁に接近する方向に向かって相互に接近する方向に傾斜して延びる状態に変形せしめた後に、該外蓋を該開位置から該閉位置に旋回動せしめると、該一対の第一のフラップが該一対の第二のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋が提供される。
本発明の第四の局面によれば、上記主たる技術的課題を達成する容器蓋として、容器の口頸部に固着される中栓及びヒンジ手段を介して該中栓と一体に形成されている外蓋を具備し、該外蓋は該中栓上面を覆う閉位置と該中栓の上面を露呈せしめる開位置との間を旋回動自在な外蓋を具備する容器蓋にして、
該中栓は円形閉塞壁と該閉塞壁の周縁から垂下する円筒形装着壁とを有し、該装着壁を該口頸部に被嵌せしめて該口頸部に装着されて該閉塞壁が該口頸部の上端面に存在する開口を覆い、
該中栓の該閉塞壁には破断可能薄肉ラインによって囲繞された除去領域が規定されており、該除去領域の上面には被係止手段が配設されており、
該外蓋は天面壁と該天面壁から垂下するスカート壁とを有し、該天面壁の内面には係止手段が配設されており、
該被係止手段は該閉塞壁から離隔する方向に向かって相互に接近する方向に傾斜して延びる一対の第一のフラップを含み、該係止手段は該天面壁から離隔する方向に向かって相互に離隔する方向に傾斜して延びる一対の第二のフラップを含み、
該外蓋を該開位置から該閉位置に一旦旋回動せしめると、該一対の第一のフラップが該閉塞壁に接近する方向に向かって相互に接近する方向に傾斜して延びる状態に変形せしめられると共に該一対の第二のフラップが該天面壁に接近する方向に向かって相互に離隔する方向に傾斜して延びる状態に変形せしめられて、該一対の第二のフラップが該一対の第一のフラップの間を通過し、
或いは該一対の第一のフラップを該閉塞壁に接近する方向に向かって相互に接近する方向に傾斜して延びる状態に変形せしめると共に該一対の第二のフラップを該天面壁に接近する方向に向かって相互に離隔する方向に傾斜して延びる状態に変形せしめた後に、該外蓋を該開位置から該閉位置に旋回動せしめると、該一対の第二のフラップが該一対の第一のフラップの間を通過し、
しかる後に該外蓋を該閉位置から該開位置に旋回動せしめられると、相互係止せしめられた該係止手段及び該被係止手段を介して該破断可能薄肉ラインに加えられる力によって該破断可能薄肉ラインが破断され、該除去領域が該閉塞壁から除去されて該外蓋に付随して移動せしめられる、
ことを特徴とする容器蓋が提供される。
【００１０】
本発明の第一の局面において提供される容器蓋及び本発明の第三の局面において提供される容器蓋においては、該被係止手段は該除去領域の上面から延出する矩形板状延出片を含み、該一対の第一のフラップは該延出片の先端から延出し、該係止手段は該天面壁の内面から延出する矩形筒片を含み、該一対の第二のフラップは該矩形筒片の両側壁の先端から延出するのが好適である。
本発明の第二の局面において提供される容器蓋及び本発明の第四の局面において提供される発明においては、該被係止手段は該除去領域の上面から延出する矩形筒片を含み、該一対の第一のフラップは該矩形筒片の両側壁の先端から延出し、該係止手段は該天面壁の内面から延出する矩形板状延出片を含み、該一対の第二のフラップは該延出片の先端から延出するのが好適である。
そして、本発明の第一の局面において提供される発明及び本発明の第二の局面において提供される発明においては、該外蓋の該旋回動部が該閉位置に位置せしめられている状態において、該一対の第一のフラップは該第二の一対のフラップに対して間隔をおいて上方に位置するのが好適である。該一対の第一のフラップ及び該一対の第二のフラップの基端縁は該外蓋の該旋回動部の旋回中心軸線に対して垂直に延びるのが好都合である。該外蓋の該旋回動部が該閉位置に位置する状態において、該一対の第一のフラップ及び該一対の第二のフラップの基端縁は該外蓋の該旋回中心軸線から離隔する方向に向かって下方に傾斜して延びるようにせしめることもできる。好適実施形態においては、該除去領域の下面周縁には下方に向かって半径方向外方に延出する環状シールが形成されており、該外蓋の該旋回動部を該閉位置から該開位置に旋回動せしめて該破断可能薄肉ラインを破断せしめ該除去領域を該閉塞壁から除去した後に、該外蓋を該閉位置に旋回動せしめると該環状シールが破断された該破断可能薄肉ラインよりも半径方向外側において該閉塞壁の上面に密接せしめられる。特定実施形態においては、該外蓋は該中栓とは別個に形成されており、該中栓の該装着壁に被嵌される円筒形状の静止部とヒンジ手段を介して該静止部に接続された旋回動部とを有し、該天面壁及び該スカート壁を含む該旋回動部が該閉位置と該開位置との間を旋回動せしめられる。他の実施形態においては、該外蓋はヒンジ手段を介して該中栓と一体に成形されており、該外蓋の全体が該閉位置と該開位置との間を旋回動せしめられる。
また、本発明の第三の局面において提供される発明及び本発明の第四の局面において提供される発明においては、該外蓋の該旋回動部が該閉位置に位置せしめられている状態において、該一対の第一のフラップは該第二の一対のフラップに対して間隔をおいて上方に位置するのが好適である。該一対の第一のフラップ及び該一対の第二のフラップの基端縁は該外蓋の旋回中心軸線に対して垂直に延びるのが好都合である。該外蓋が該閉位置に位置する状態において、該一対の第一のフラップ及び該一対の第二のフラップの基端縁は該外蓋の該旋回中心軸線から離隔する方向に向かって下方に傾斜して延びるようにせしめることもできる。好適実施形態においては、該除去領域の下面周縁には下方に向かって半径方向外方に延出する環状シールが形成されており、該外蓋を該閉位置から該開位置に旋回動せしめて該破断可能薄肉ラインを破断せしめ該除去領域を該閉塞壁から除去した後に、該外蓋を該閉位置に旋回動せしめると該環状シールが破断された該破断可能薄肉ラインよりも半径方向外側において該閉塞壁の上面に密接せしめられる。特定実施形態においては、該外蓋は該中栓とは別個に形成されており、該中栓の該装着壁に被嵌される円筒形状の静止部とヒンジ手段を介して該静止部に接続された旋回動部とを有し、該天面壁及び該スカート壁を含む該旋回動部が該閉位置と該開位置との間を旋回動せしめられる。他の実施形態においては、該外蓋はヒンジ手段を介して該中栓と一体に成形されており、該外蓋の全体が該閉位置と該開位置との間を旋回動せしめられる。
【発明の効果】
【００１１】
本発明の容器蓋においては、適宜の合成樹脂から容器蓋を成形した後に溶着の如き煩雑な工程を遂行する必要がない。被係止手段と係止手段とは、夫々、間隔をおいて配設され且つ閉塞壁から離隔する方向に向かって相互に離隔或いは接近する方向に傾斜して延びる一対の第一のフラップと間隔をおいて配設され且つ天面壁から離隔する方向に向かって相互に接近或いは離隔する方向に傾斜して延びる一対の第二のフラップとを含んでいる故に、外蓋を開位置から閉位置に旋回動せしめる際に、破断可能薄肉ラインに過剰な応力が生成されることはなく、破断可能薄肉ラインが破断されてしまうという不測の事態が発生することはない。外蓋を閉位置に旋回動せしめた後においては、一対の第一のフラップが閉塞壁に接近する方向に向かって相互に離隔或いは接近する方向に傾斜して延びる状態に変形せしめられていると共に一対の第二のフラップが天面壁に接近する方向に向かって相互に接近或いは離隔する方向に傾斜して延びる状態に変形せしめられおり、そしてまた第一の一対のフラップが第二の一対のフラップの間を通過或いは一対の第一のフラップ間を一対の第二のフラップが通過し、第一の一対のフラップと第二の一対のフラップとの協働によって被係合手段と係合手段とが離脱不能に相互係止せしめられ、それ故に外蓋を一旦閉位置に旋回動せしめた後に開位置に旋回動せしめると中栓に形成されている破断可能薄肉ラインが充分容易に且つ確実に破断されて除去領域が閉塞壁から除去される。
【図面の簡単な説明】
【００１２】
【図１】本発明の容器蓋の好適実施形態における中栓の断面図。
【図２】図１の中栓の平面図。
【図３】本発明の容器蓋の好適実施形態における外蓋の斜面図。
【図４】図３の外蓋の側面図。
【図５】図３の外蓋の底面図。
【図６】図３の外蓋の断面図。
【図７】図１及び図２に図示する中栓に図３乃至図６に図示する外蓋を組み合わせる際の挙動を示す断面図。
【図８】容器の口頸部に装着された、本発明の容器蓋の好適実施形態において、外蓋を閉位置から開位置に旋回動せしめる際の挙動を示す断面図。
【図９】容器の口頸部に装着された、本発明の容器蓋の好適実施形態において、外蓋を閉位置から開位置に旋回動せしめる際の挙動を示す断面図。
【図１０】容器の口頸部に装着された、本発明の容器蓋の好適実施形態において、一旦開位置に旋回動した外蓋を再び閉位置に旋回動せしめる際の挙動を示す断面図。
【図１１】容器の口頸部に装着された、本発明の容器蓋の好適実施形態において、一旦開位置に旋回動した外蓋を再び閉位置に旋回動せしめる際の挙動を示す断面図。
【図１２】本発明に容器蓋の他の実施形態を示す断面図。
【図１３】本発明の容器蓋の更に他の実施形態を示す断面図。
【発明を実施するための形態】
【００１３】
以下、本発明の実施形態を図示している添付図面を参照して、更に詳細に説明する。
【００１４】
本発明に従って構成された容器蓋の好適実施形態は、図１及び図２に図示する中栓２と図３乃至図６に図示する外蓋４とから構成されている。中栓２と外蓋４とはポリエチレン又はポリプロピレンの如き適宜の合成樹脂から射出成形或いは圧縮成形することができる。
【００１５】
図１及び図２を参照して説明すると、図示の中栓２は円形閉塞壁６を有し、この閉塞壁６の周縁には下方に垂下する円筒形装着壁８と上方に延出する円筒形拘束壁１０とが付設されている。装着壁８の内周面には半径方向内方に突出した環状係止突条１２が形成されている。また、拘束壁１０の外周面上端部には半径方向外方に突出した環状突条１４が形成されている。閉塞壁６の中央部には円環形状でよい破断可能薄肉ライン１６によって除去領域１８が規定されている。図１から明確に理解されるとおり、閉塞壁６の除去領域１８は非除去領域即ち破断可能薄肉ライン１６よりも外側の領域に対して下方に変位せしめられており、破断可能薄肉ライン１６は除去領域１８の上面と非除去領域の下面との間に配設されている。破断可能薄肉ライン１６の半径方向外側には上面が半径方向外側に向かって上方に傾斜して延び半径方向外側に向かって厚さが漸次増大する環状領域が存在し、かかる環状領域の下面には下方に延出するシールリング２０が形成されている。閉塞壁６の上面には、上記拘束壁１０よりも幾分半径方向内側において上方に延出する排出筒２２が形成されており、この排出筒２２の上端部は上方に向かって半径方向外方にカールされている。
【００１６】
中栓２の閉塞壁６における除去領域１８の上面には被係止手段２４が配設されていることが重要である。図示実施形態においては、被係止手段２４は除去領域１８の上面中央から上方に延出する矩形板状延出片２５とこの延出片２５の先端（即ち上端）に図１及び図２において左右方向に若干の間隔をおいて配設され閉塞壁６から離隔する方向（即ち上方）に向かって相互に離隔する方向に傾斜して延びる一対のフラップ２６から形成されている。延出片２５は図１において紙面に垂直な方向、図２において上下方向に細長く延び、同様に一対のフラップ２６も図１において紙面に垂直な方向、図２において上下方向に細長く延びている。一対のフラップ２６の少なくとも基端部（延出片２５に接続された下端部）は薄片から構成されていて充分容易に撓んで変形せしめられることが重要である。一対のフラップ２６は、後に言及する如く、外蓋４に配設されている一対のフラップ(かかるフラップは一対の第二のフラップを構成する)と協働する一対の第一のフラップを構成する。図示の中栓２においては、更に、閉塞壁６の除去領域１８の下面周縁から下方に向かって半径方向外方に傾斜して延出する環状シール２８が配設されている。
【００１７】
図３乃至図６を参照して説明を続けると、図示の外蓋４は上記中栓２とは別個に成形されており、全体として円筒形状である静止部３０と、ヒンジ手段３２を介して静止部３０に連結された旋回動部３４と、ヒンジ手段３２が存在しない部位において静止部３０と旋回動部３４とを分離自在に接続している円弧形状の接続部３６とから構成されている。接続部３６の上端縁と下端縁とは破断可能薄肉ライン３８及び４０によって規定されており、接続部３６の周方向両端縁とヒンジ手段３２との間には若干の間隙が存在する。接続部３６の外周面には摘み片４２が付設されている。
【００１８】
外蓋４の旋回動部３４は、略円形状の天面壁４４とこの天面壁４４の周縁から垂下する円筒形状のスカート壁４６とを有する。スカート壁４６の内周面下端部には環状溝４８が形成されている。天面壁４４の外周縁にはスカート壁４６の外周面を超えて半径方向外方に突出する円弧形状の鍔５０が形成されている。この鍔５０は上記ヒンジ手段３２に対して直径方向反対側に位置する。天面壁４４の内面外周縁部には下方に延出する環状シール片５２が付設されている。上記接続部３６に配設されている上記摘み片４２は破断可能な薄肉片５４を介して旋回動部３４のスカート壁４６の外周面にも接続されている。
【００１９】
上記天面壁４４の内面には係止手段５６が配設されていることが重要である。図５及び図６を参照することによって明確に理解される如く、図示の実施形態においては、係止手段５６は天面壁４４の内面中央部から垂下する矩形筒片５８とこの矩形筒片５８の両側壁の内面下端から、夫々、天面壁４４から離隔する方向（即ち下方）に向かって相互に接近する方向に延出する一対のフラップ６０とから構成されている。矩形筒片５８は図５において左右方向、図６において紙面に垂直な方向に細長く延在せしめられており、同様に一対のフラップ６０も図５において左右方向、図６において紙面に垂直な方向に細長く延在せしめられている。一対のフラップ６０の少なくとも基端部（矩形筒片５８の両側壁内面下端に接続された上端部）は薄片から構成されていて充分容易に撓んで変形せしめられることが重要である。一対のフラップ６０は、中栓２に配設されている上記一対のフラップ（即ち一対の第一のフラップ）２６と協働する一対の第二のフラップを構成する。
【００２０】
図７ａ乃至ｄを参照して説明を続けると、上記中栓２と外蓋４とは次のとおりにして組み合わされる。最初に、図７ａに図示する如く、中栓２の閉塞壁６上に配設されている被係止手段２４と外蓋４の天面壁４４の内面に配設されている係止手段５６とを相互に整合せしめて、中栓２の上方に外蓋４を位置せしめる。次いで、中栓２に対して外蓋を漸次下降せしめる。かくすると、図７ｂ乃至図７ｄを参照することによって理解されるとおり、被係止手段２４と係止手段５６とが相互作用する。更に詳しくは、被係止手段２４の延出片２５が矩形筒片５８内に進入し、被係止手段２４の一対のフラップ２６は閉塞壁６から離隔する方向に向かって相互に離隔する方向に傾斜して延びる状態から閉塞壁６に接近する方向に向かって相互に離隔する方向に傾斜して延びる方向に延びる状態に変形され、係止手段５６の一対のフラップ６０は天面壁４４の内面から離隔する方向に向かって相互に接近する方向に傾斜して延びる状態から天面壁４４の内面に接近する方向に向かって相互に接近する方向に延びる状態に変形せしめられる。そして、一対のフラップ２６が一対のフラップ６０間を通過せしめられる。中栓２に対して外蓋４が所要位置、即ち図７ｄに図示する位置、まで下降せしめられると、中栓２の拘束壁１０の上端外周面に形成されている環状突状１４が外蓋４のスカート壁４６の内周面下端部に形成されている環状溝４８に係合し、これによって中栓２と外蓋４とが相互に拘束される。図７ｄに図示する状態において、被係止手段２４の一対のフラップ２６は係止手段５６の一対のフラップ６０に対して若干の間隔をおいて上方に位置するのが好都合である。
【００２１】
所望ならば、中栓２に外蓋４を組み合わせるのに先立って、被係止手段２４の一対のフラップ２６を手動で閉塞壁６から離隔する方向に向かって相互に離隔する方向に傾斜して延びる状態から閉塞壁６に接近する方向に向かって相互に離隔する方向に傾斜して延びる方向に延びる状態に変形し、そしてまた係止手段５６の一対のフラップ６０を手動で天面壁４４の内面から離隔する方向に向かって相互に接近する方向に傾斜して延びる状態から天面壁４４の内面に接近する方向に向かって相互に接近する方向に延びる状態に変形することもできる。
【００２２】
図８ａ乃至ｄ及び図９ａ乃至ｃには中栓２及び外蓋４から構成された容器蓋が適用される容器の口頸部６２も図示されている。ポリエチレンテレフタレートの如き適宜の合成樹脂或いはガラスから形成することができる容器の口頸部６２は全体として円筒形状であり、その外周面上端部には環状膨出部６４が形成されている。中栓２を口頸部６２に被嵌し図８ａ及び図９ａに図示する位置まで強制的に下降せしめることによって中栓２及びこれに組み合わされた外蓋４が口頸部６２に装着される。図８ａ及び図９ａに図示する状態においては、中栓２の装着壁８の内周面に形成されている環状係止突状１２が口頸部６２の環状膨出部６４を弾性的に乗り越えてこれに係合せしめられる。中栓２のシールリング２０が口頸部６２内に進入せしめられて口頸部６２の内周面に密接せしめられる。口頸部６２の上端に存在する開口は中栓２の閉塞壁６によって閉じられる。
【００２３】
容器内に収容されている液体調味料の如き内容物を消費する際には、最初に、外蓋４の接続部３６に配設されている摘み片４２を把持し、破断可能薄肉片５４を破断して摘み片４２を外蓋４の旋回動部３４のスカート壁４６から分離する。次いで、摘み片４２を所要方向に引っ張って接続部３６の上端縁及び下端縁に存在する破断可能薄肉ライン３８及び４０を破断して、接続部３６を外蓋４から離脱せしめる（図８ａ及び図９ａと図８ｂ及び図９ｂとを比較参照されたい）。かくすると、外蓋４の旋回動部３４はヒンジ手段３２のみを介して静止部３０に接続された状態になり、静止部３０に対してヒンジ手段３２を旋回中心として旋回動部３４が旋回動することが可能になる。
【００２４】
しかる後に、図８ｂ乃至ｄ並びに図９ｂ及びｃに図示する如く、旋回動部３４をヒンジ手段３２を旋回中心として開方向（即ち図８ｂ乃至ｄにおいて時計方向）に旋回動せしめる（図８ａ乃至ｄを参照することによって、図示の実施形態においては、一対のフラップ２６の基端縁、即ち延出片２５に接続された縁、及び一対のフラップ６０の基端縁、即ち矩形筒片５６に接続された縁、は図８ａ乃至ｄにおいて紙面に垂直に延びる旋回中心軸線に対して垂直に且つ図８ａに図示する状態においては実質上水平に延在することが理解される）。旋回動部３４を旋回動せしめる際には、天面壁４４の鍔５０に指を掛けることができる。特に図８ｂ及びｃ並びに図９ｂ及びｃを参照することによって理解される如く、旋回動部３４を幾分旋回動せしめると被係止手段２４の一対のフラップ２６が係止手段５６の一対のフラップ６０に係止し、旋回動部３４の旋回を続けると係止手段５６及び被係止手段２４を介して中栓２の閉塞壁６に形成されている破断可能薄肉ライン１６に力が加えられ、これによって破断可能薄肉ライン１６が破断されて除去領域１８が閉塞壁６から離脱される。閉塞壁６から除去された除去領域１８は旋回動部３４に付随して移動せしめられる。図示の実施形態においては、図８ａ及び図９ａに図示する状態において一対のフラップ２６は一対のフラップ６０よりも幾分上方に位置し、一対のフラップ２６と一対のフラップ６０との相互係止は旋回動部３４を幾分旋回動せしめた後に達成されるので、旋回動部３４の旋回を開始する際に過剰な力が必要とされることはない。旋回動部３４を図８ｄに図示する位置まで旋回せしめると、閉塞壁６の除去領域１８が除去され排出開口が生成された中栓２が露呈され、従って例えば容器全体を傾動せしめることによって排出開口から排出筒２２を通して容器から内容物を排出することができる。
【００２５】
図１０ａ乃至ｃ並びに図１１ａ乃至ｃを参照して説明を続けると、内容物の排出を終了した後においては、旋回動部３４を閉方向（即ち図１０ａ乃至ｃにおいて反時計方向）に旋回動せしめて中栓２を覆う状態にせしめる。図１０ｂ及びｃ並びに図１１ｂ及びｃを参照することによって明確に理解される如く、旋回動部３４を元の閉位置まで旋回動せしめると、旋回動部３４に付随して移動せしめられる除去領域１８の下面周縁に配設されている環状シール２８が閉塞壁６の非除去領域の上面内周縁部に当接せしめられ、除去領域１８の除去によって生成された排出開口が密封される。
【００２６】
図１２は本発明に従って構成された容器蓋の他の実施形態を図示している。図１２に図示する実施形態においては、被係止手段と係止手段との構成が上述した実施形態と逆になっている。即ち、図１２に図示する実施形態においては、中栓１０２の閉塞壁１０６に配設されている被係止手段１２４は矩形筒片１２５とこの矩形筒片１２５の両側壁の内面上端から、夫々、閉塞壁１０６から離隔する方向に向かって相互に接近する方向に延びる一対のフラップ（一対の第一のフラップ）１２６から構成され、外蓋１０４の天面壁１４４に配設されている係止手段１５６は矩形板状延出片１５８とこの延出片１５８の先端（即ち下端）に若干の間隔をおいて配設され天面壁１４４から離隔する方向に向かって相互に離隔する方向に延びる一対のフラップ（一対の第二のフラップ）１６０から構成されている。図１２においては、既に中栓１０２と外蓋１０４とが所要とおりに組み合わされており、一対のフラップ１２６は閉塞壁１０６に接近する方向に向かって相互に接近する状態に変形されており、一対のフラップ１６０は天面壁１４４に接近する方向に向かって相互に離隔する方向に延びる状態に変形されている。図１２に図示する容器蓋のその他の構成及び作用効果は図１乃至図１１に図示する実施形態と実質上同一である。
【００２７】
図１３は本発明に従って構成された容器蓋の更に他の実施形態を図示している。図１３に図示する実施形態においては、中栓２０２に配設されている一対のフラップ（一対の第一のフラップ）２２６の基端縁及び外蓋２０４に配設されている一対のフラップ（一対の第二のフラップ）２６０の基端縁は、図１３に図示する状態において、実質上水平ではなくて旋回中心軸線から離隔する方向に向かって下方に傾斜して延びている。図１３に図示する容器蓋のその他の構成及び作用効果は図１乃至図１１に図示する実施形態と実質上同一である。
【００２８】
上述した実施形態においては外蓋４、１０４及び２０４は中栓２、１０２及び２０２とは別個に成形されているが、所望ならば、例えば中栓２、１０２及び２０２の装着壁にヒンジ手段を介して外蓋４、１０４及び２０４を直接的に接続することによって、外蓋４、１０４及び２０４を中栓２、１０２及び２０２と一体に成形することもできる。
【符号の説明】
【００２９】
２：中栓
４：外蓋
６：閉塞壁
８：装着壁
１６：破断可能薄肉ライン
１８：除去領域
２４：被係止手段
２５：延出片
２６：一対のフラップ（一対の第一のフラップ）
２８：環状シール
３０：静止部
３２：ヒンジ手段
３４：旋回動部
３６：接続部
４４：天面壁
４６：スカート壁
５６：係止手段
５８：矩形筒片
６０：一対のフラップ（一対の第二のフラップ）
１０２：中栓
１０４：外蓋
１０６：閉塞壁
１２４：被係止手段
１２５：矩形筒片
１２６：一対のフラップ（一対の第一のフラップ）
１５６：係止手段
１５８：延出片
１６０：一対のフラップ（一対の第二のフラップ）
２０２：中栓
２０４：外蓋
２２６：一対のフラップ（一対の第一のフラップ）
２６０：一対のフラップ（一対の第二のフラップ）
【図１】
0005901198.tif 000002
【図２】
0005901198.tif 000003
【図３】
0005901198.tif 000004
【図４】
0005901198.tif 000005
【図５】
0005901198.tif 000006
【図６】
0005901198.tif 000007
【図７】
0005901198.tif 000008
【図８】
0005901198.tif 000009
【図９】
0005901198.tif 000010
【図１０】
0005901198.tif 000011
【図１１】
0005901198.tif 000012
【図１２】
0005901198.tif 000013
【図１３】
0005901198.tif 000014